【手続補正書】
【提出日】平成17年8月11日(2005.8.11)
【手続補正１】
【補正対象書類名】明細書
【補正対象項目名】発明の名称
【補正方法】変更
【補正の内容】
【発明の名称】文書管理装置、文書管理方法、コンピュータプログラム、及びコンピュータ読み取り可能な記憶媒体
【手続補正２】
【補正対象書類名】明細書
【補正対象項目名】特許請求の範囲
【補正方法】変更
【補正の内容】
【特許請求の範囲】
【請求項１】
文書画像を入力する文書画像入力手段と、
上記文書画像入力手段により入力された文書画像から文書識別情報を抽出する文書識別情報抽出手段と、
上記文書識別情報抽出手段により抽出された文書識別情報に対して所定の変換処理を行って原本性確認情報を生成する原本性確認情報生成手段と、
上記原本性確認情報生成手段により生成された原本性確認情報をネットワークに接続された所定の保管場所に保存する原本性確認情報保存手段と、
上記保存場所を示す情報を上記文書画像に埋め込む保存場所情報埋め込み手段とを有することを特徴とする文書管理装置。
【請求項２】
上記保存場所情報埋め込み手段は、電子透かしを埋め込むことを特徴とする請求項１に記載の文書管理装置。
【請求項３】
文書画像を入力する文書画像入力手段と、
上記文書画像入力手段により入力された文書画像から文書識別情報を抽出する文書識別情報抽出手段と、
上記文書識別情報抽出手段により抽出された文書識別情報に対して所定の変換処理を行って原本性確認情報を生成する原本性確認情報生成手段と、
上記文書画像入力手段により入力された文書画像中に埋め込まれた電子透かしを抽出する情報抽出手段と、上記情報抽出手段により電子透かしとして抽出された情報に基づいて、ネットワーク上のポイントにアクセスするアクセス手段と、
上記アクセス手段によりアクセスされたポイントに保存されている原本性確認情報と、上記原本性確認情報生成手段により生成された原本性確認情報とを比較する原本性確認情報比較手段とを有することを特徴とする文書管理装置。
【請求項４】
文書画像を入力する文書画像入力手段と、
上記文書画像入力手段により入力された文書画像から文書識別情報を抽出する文書識別情報抽出手段と、
上記文書識別情報抽出手段により抽出された文書識別情報に対して所定の変換処理を行って原本性確認情報を生成する原本性確認情報生成手段と、
上記原本性確認情報生成手段により生成された原本性確認情報と、あらかじめ保存された原本性確認情報とを比較する原本性確認情報比較手段とを有することを特徴とする文書管理装置。
【請求項５】
上記原本性確認情報生成手段は、上記文書識別情報抽出手段により抽出された文書識別情報に対してハッシュ変換を行って原本性確認情報を生成することを特徴とする請求項１〜４の何れか１項に記載の文書管理装置。
【請求項６】
上記原本性確認情報生成手段は、上記文書識別情報抽出手段により抽出された文書識別情報に対してハッシュ変換を行い、さらに上記ハッシュ変換により得られたハッシュ値に対する電子署名を生成して原本性確認情報を生成することを特徴とする請求項１〜４の何れか１項に記載の文書管理装置。
【請求項７】
文書画像を入力する文書画像入力手段と、
上記文書画像入力手段により入力された文書画像から文書識別情報を抽出する文書識別情報抽出手段と、
上記文書識別情報抽出手段により抽出された文書識別情報と、あらかじめ保存された文書識別情報とを比較する文書識別情報比較手段とを有することを特徴とする文書管理装置。
【請求項８】
上記文書識別情報抽出手段は、上記文書画像中の文書識別情報領域を指示する領域指示手段を有し、
上記領域指示手段により指示された領域内の画像に対して文字認識を行うことで得た文字列を上記文書識別情報として抽出することを特徴とする請求項１〜７の何れか１項に記載の文書管理装置。
【請求項９】
文書画像を入力する文書画像入力処理と、
上記文書画像入力処理により入力された文書画像から文書識別情報を抽出する文書識別情報抽出処理と、
上記文書識別情報抽出処理により抽出された文書識別情報に対して所定の変換処理を行って原本性確認情報を生成する原本性確認情報生成処理と、
上記原本性確認情報生成処理により生成された原本性確認情報をネットワークに接続された所定の保管場所に保存する原本性確認情報保存処理と、
上記保存場所を示す情報を上記文書画像に埋め込む保存場所情報埋め込み処理とを行うことを特徴とする文書管理方法。
【請求項１０】
文書画像を入力する文書画像入力処理と、
上記文書画像入力処理により入力された文書画像から文書識別情報を抽出する文書識別情報抽出処理と、
上記文書識別情報抽出処理により抽出された文書識別情報に対して所定の変換処理を行って原本性確認情報を生成する原本性確認情報生成処理と、
上記文書画像入力処理により入力された文書画像中に埋め込まれた電子透かしを抽出する情報抽出処理と、
上記情報抽出処理により電子透かしとして抽出された情報に基づいて、ネットワーク上のポイントにアクセスするアクセス処理と、
上記アクセス処理によりアクセスされたポイントに保存されている原本性確認情報と、上記原本性確認情報生成処理により生成された原本性確認情報とを比較する原本性確認情報比較処理とを行うことを特徴とする文書管理方法。
【請求項１１】
文書画像を入力する文書画像入力処理と、
上記文書画像入力処理により入力された文書画像から文書識別情報を抽出する文書識別情報抽出処理と、
上記文書識別情報抽出処理により抽出された文書識別情報に対して所定の変換処理を行って原本性確認情報を生成する原本性確認情報生成処理と、
上記原本性確認情報生成処理により生成された原本性確認情報と、あらかじめ保存された原本性確認情報とを比較する原本性確認情報比較処理とを行うことを特徴とする文書管理方法。
【請求項１２】
コンピュータを、上記請求項１〜８の何れか１項に記載の手段として機能させることを特徴とするコンピュータプログラム。
【請求項１３】
上記請求項１２に記載のコンピュータプログラムを記憶したことを特徴とするコンピュータ読み取り可能な記憶媒体。
【手続補正３】
【補正対象書類名】明細書
【補正対象項目名】０００１
【補正方法】変更
【補正の内容】
【０００１】
【発明の属する技術分野】
本発明は、文書管理装置、文書管理方法、コンピュータプログラム、及びコンピュータ読み取り可能な記憶媒体に関し、特に、紙文書の原本性を確認するために用いて好適なものである。
【手続補正４】
【補正対象書類名】明細書
【補正対象項目名】０００６
【補正方法】変更
【補正の内容】
【０００６】
【発明が解決しようとする課題】
しかしながら、上述した従来の技術を用いて、埋め込み側と検証側における各処理を完全にオフラインで実行するためには、上記公開された検証用の鍵を、確認したいユーザが常に知っている（管理している）必要がある。すなわち、上述した従来の技術では、紙文書の原本性を確認することができるユーザが特定されてしまうという問題点があった。
【手続補正５】
【補正対象書類名】明細書
【補正対象項目名】００１０
【補正方法】変更
【補正の内容】
【００１０】
【課題を解決するための手段】
本発明の文書管理装置は、文書画像を入力する文書画像入力手段と、上記文書画像入力手段により入力された文書画像から文書識別情報を抽出する文書識別情報抽出手段と、上記文書識別情報抽出手段により抽出された文書識別情報に対して所定の変換処理を行って原本性確認情報を生成する原本性確認情報生成手段と、上記原本性確認情報生成手段により生成された原本性確認情報をネットワークに接続された所定の保管場所に保存する原本性確認情報保存手段と、上記保存場所を示す情報を上記文書画像に埋め込む保存場所情報埋め込み手段とを有することを特徴とする。
また、本発明の他の特徴とするところは、文書画像を入力する文書画像入力手段と、上記文書画像入力手段により入力された文書画像から文書識別情報を抽出する文書識別情報抽出手段と、上記文書識別情報抽出手段により抽出された文書識別情報に対して所定の変換処理を行って原本性確認情報を生成する原本性確認情報生成手段と、上記文書画像入力手段により入力された文書画像中に埋め込まれた電子透かしを抽出する情報抽出手段と、上記情報抽出手段により電子透かしとして抽出された情報に基づいて、ネットワーク上のポイントにアクセスするアクセス手段と、上記アクセス手段によりアクセスされたポイントに保存されている原本性確認情報と、上記原本性確認情報生成手段により生成された原本性確認情報とを比較する原本性確認情報比較手段とを有することにある。
また、本発明のその他の特徴とするところは、文書画像を入力する文書画像入力手段と、上記文書画像入力手段により入力された文書画像から文書識別情報を抽出する文書識別情報抽出手段と、上記文書識別情報抽出手段により抽出された文書識別情報に対して所定の変換処理を行って原本性確認情報を生成する原本性確認情報生成手段と、上記原本性確認情報生成手段により生成された原本性確認情報と、あらかじめ保存された原本性確認情報とを比較する原本性確認情報比較手段とを有することにある。
また、本発明のその他の特徴とするところは、文書画像を入力する文書画像入力手段と、上記文書画像入力手段により入力された文書画像から文書識別情報を抽出する文書識別情報抽出手段と、上記文書識別情報抽出手段により抽出された文書識別情報と、あらかじめ保存された文書識別情報とを比較する文書識別情報比較手段とを有することにある。
本発明の文書管理方法は、文書画像を入力する文書画像入力処理と、上記文書画像入力処理により入力された文書画像から文書識別情報を抽出する文書識別情報抽出処理と、上記文書識別情報抽出処理により抽出された文書識別情報に対して所定の変換処理を行って原本性確認情報を生成する原本性確認情報生成処理と、上記原本性確認情報生成処理により生成された原本性確認情報をネットワークに接続された所定の保管場所に保存する原本性確認情報保存処理と、上記保存場所を示す情報を上記文書画像に埋め込む保存場所情報埋め込み処理とを行うことを特徴とする。
また、本発明の他の特徴とするところは、文書画像を入力する文書画像入力処理と、上記文書画像入力処理により入力された文書画像から文書識別情報を抽出する文書識別情報抽出処理と、上記文書識別情報抽出処理により抽出された文書識別情報に対して所定の変換処理を行って原本性確認情報を生成する原本性確認情報生成処理と、上記文書画像入力処理により入力された文書画像中に埋め込まれた電子透かしを抽出する情報抽出処理と、上記情報抽出処理により電子透かしとして抽出された情報に基づいて、ネットワーク上のポイントにアクセスするアクセス処理と、上記アクセス処理によりアクセスされたポイントに保存されている原本性確認情報と、上記原本性確認情報生成処理により生成された原本性確認情報とを比較する原本性確認情報比較処理とを行うことにある。
また、本発明のその他の特徴とするところは、文書画像を入力する文書画像入力処理と、上記文書画像入力処理により入力された文書画像から文書識別情報を抽出する文書識別情報抽出処理と、上記文書識別情報抽出処理により抽出された文書識別情報に対して所定の変換処理を行って原本性確認情報を生成する原本性確認情報生成処理と、上記原本性確認情報生成処理により生成された原本性確認情報と、あらかじめ保存された原本性確認情報とを比較する原本性確認情報比較処理とを行うことにある。
本発明のコンピュータプログラムは、コンピュータを、上記手段として機能させることを特徴とする。
本発明のコンピュータ読み取り可能な記憶媒体は、上記コンピュータプログラムを記憶したことを特徴とする。
【手続補正６】
【補正対象書類名】明細書
【補正対象項目名】００１１
【補正方法】変更
【補正の内容】
【００１１】
【発明の実施の形態】
（第１の実施の形態）
次に、図面を参照しながら、本発明の第１の実施の形態について説明する。
図１は、本実施の形態の文書管理装置を適用した文書管理システムの構成の一例を示した図である。